(57)【要約】  接着防止処理がなされたライナー（21）を有する自己接着性ホイル（19）を取り付ける方法であって、そのホイル（19）の自由端部（37）からわずかに離れた位置でライナー（21）に横方向の切れ目を入れることと、自己接着性ホイル（19）を巻き上げてロールを形成するにあたり、ホイル（19）の表側がそのロールの外側を向き、そのホイル上の画像の上部がそのロールの自由端部（37）に配置されるようにすることと、ホイル（19）の自由端部（37）を付着装置（2）の外側に固定することと、ホイルからなるロールを付着装置の中に挿入し、そのロールの自由端部が出口開口部またはスロットを通ってその付着装置から出た状態にした後、蓋（12）を入口開口部（18）の上で閉じて固定することと、ライナー（21）を横方向の切れ目の下でホイル（19）から剥がすことと、ホイルの上部を、好ましくは付着装置（2）の平坦な上側（27）を位置決め手段として用いて望む付着位置に配置した後、そのホイルを付着面に加圧接触により付着させると同時に付着装置（2）を下方に移動させ、それに合わせて連続的にライナー（21）をホイル（19）から剥がすことで、そのホイルを引き伸ばされた状態で付着面に取り付けることを特徴とする方法と、この方法で利用する装置（2）。
2009522623.tif 000002
【特許請求の範囲】
【請求項１】
接着防止処理がなされたライナー（21）を有する自己接着性ホイル（19）を取り付ける方法であって、そのホイル（19）の自由端部（37）からわずかに離れた位置で前記ライナー（21）に横方向の切れ目を入れることと、前記自己接着性ホイル（19）を巻き上げてロールを形成するにあたり、前記ホイル（19）の表側がそのロールの外側を向き、そのホイル上の画像の上部がそのロールの自由端部（37）に配置されるようにすることと、前記ホイル（19）の自由端部（37）を付着装置（2）の外側に固定することと、前記ホイルからなるロールを前記付着装置の中に挿入し、そのロールの自由端部が出口開口部またはスロットを通ってその付着装置から出た状態にした後、蓋（12）を入口開口部（18）の上で閉じて固定することと、前記ライナー（21）を前記横方向の切れ目の下で前記ホイル（19）から剥がすことと、前記ホイルの上部を、好ましくは前記付着装置（2）の平坦な上側（27）を位置決め手段として用いて望む付着位置に配置した後、そのホイルを付着面に加圧接触により付着させると同時に前記付着装置（2）を下方に移動させ、それに合わせて前記ライナー（21）を前記ホイル（19）から剥がすことで、そのホイルを引き伸ばされた状態で前記付着面に取り付けることを特徴とする方法。
【請求項２】
ホイル（19）の自由端部（37）を付着装置（2）の外側に固定する前記操作を、その自由端部（37）を細長い縁部（25）の下に挿入した後、ホイル（19）のその自由端部（37）を、バネで外向きの力を受けている固定プレート部材（14）の細長い縁部（15）によって締め付けることによって実施することを特徴とする、請求項１に記載の方法。
【請求項３】
前記固定プレート部材（14）を、両端部の位置で、装置ハウジング（4）の端部カバー（8、10）と一体化していてその固定プレート部材（14）の両端部の縁部に引っ掛かる弾性ロック用フィンガー（22）によってロックすることにより、前記ホイル（19）の自由端（37）を前記細長い縁部（15）によって前記堅固な細長い縁部（25）の下に固定することを特徴とする、請求項２に記載の方法。
【請求項４】
前記蓋（12）の固定を、前記装置ハウジング（4）の端部カバー（8、10）と一体化していて前記蓋（12）の両端部の縁部に引っ掛かる弾性ロック用フィンガー（20）によって実施することを特徴とする、請求項１に記載の方法。
【請求項５】
前記固定プレート部材（14）とフェルト・コーティングの間に配置したスポンジ・ラバーによって加圧接触を弾性的にし、前記付着面に対する加圧接触を、フェルト・コーティングを備えていて固定プレート部材（14）の形態になった加圧面によって行なうことを特徴とする、請求項１または２に記載の方法。
【請求項６】
接着防止処理がなされたライナー（21）を有する自己接着性ホイル（19）を取り付けるための、または付着させるための細長い装置ハウジング（4）付き装置（2）であって、この付着装置（2）が、前記ホイル（19）の表側がロールの外側を向き、そのホイル上の画像の上部がロールの自由端部（37）に配置されるようにして巻き上げられた自己接着性ホイル（19）を挿入するための細長い入口開口部（18）を有する設計にされていて、この付着装置（2）は、ホイルの自由端部（37）を外に出すことを目的とした細長い出口開口部（33）を有する設計にされていて、それはその自由端部をこの付着装置（2）の外面区画に固定手段（15、25）で固定するためであり、この付着装置（2）は、細長い縁部をさらに備えていて、その周囲を前記ホイル（19）が通過してそのホイル（19）からライナー（21）を連続的に剥がすことができ、この付着装置（2）は、前面区画に、この付着装置（2）が下向きに移動している間に付着位置に対して前記ホイル（19）を押しつけると同時に滑らかにする構成の加圧手段（14、16）を備えることを特徴とする装置。
【請求項７】
前記固定手段が、細長い固定用縁部（25）と、バネで外向きの力を受けている固定プレート部材（14）の細長い縁部（15）とによって構成されていて、前記細長い固定用縁部（25）の下にはホイル（19）の自由端部（37）を挿入でき、前記細長い縁部（15）は、前記ホイル（19）の自由端部（37）と相互作用することを特徴とする、請求項６に記載の装置。
【請求項８】
前記固定プレート部材（14）が、両端の位置において、前記装置ハウジング（4）の端部カバー（8、10）と一体化していて前記固定プレート部材（14）の両端部の縁部に引っ掛かる弾性ロック用フィンガー（22）によってロックされる構成であることを特徴とする、請求項７に記載の装置。
【請求項９】
装置ハウジング（4）の端部カバー（8、10）が、バネで外向きの力を受けている一体化されたロック用フィンガー（20）をさらに備えていて、そのロック用フィンガーが、蓋（12）の両端部の縁部に引っ掛かるようにされていることを特徴とする、請求項８に記載の装置。
【請求項１０】
付着面に対して加圧接触がなされるようにするため、固定プレート部材（14）の形態のフェルト製カバー付き加圧面を備えていて、その加圧面が、前記固定プレート部材（14）と前記フェルト製カバーの間に配置された例えばスポンジ・ラバーによって弾性状態にされていることを特徴とする、請求項６に記載の装置。
【発明の詳細な説明】
【技術分野】
【０００１】
本発明は、請求項１の前文に示したタイプの自己接着性ホイルを取り付ける方法に関する。
【０００２】
本発明は、本発明の方法で自己接着性ホイルを取り付ける際に使用する装置にも関する。
【背景技術】
【０００３】
ここで問題にするタイプの自己接着性ホイルを取り付けるとき、取り付け中にホイルの下に空気ポケットまたは泡とシワが形成されることを避けるのは非常に難しい。そのような泡またはシワの形成をなくす、または回避するには、鋭いエッジを有するさまざまな形態のスクレーパを用いてホイルを滑らかにした後、空気の泡をホイルの端に移動させてその泡を取り除くことが知られているが、できる可能性のあるシワを取り除くことは難しい。それと同時に、取り付け中にホイルが損傷しないように注意する必要がある。こういったことすべてを考慮せねばならないため、ここで問題にするタイプのより大きなホイルを取り付けるのは厄介で時間がかかる。
【０００４】
アメリカ合衆国特許第3,737,360号には、自己接着性材料（特に可塑性自己接着性材料）を供給源から平坦な面に付着させるディスペンサ・タイプまたはアプリケータ・タイプの手で操作できる携帯装置が開示されている。この装置では、可塑性自己接着性材料は、剥がせる紙などを支持体とすることを特徴としており、覆うべき面にその可塑性自己接着性材料を付着させるときにその紙を可塑性自己接着性材料から剥がす。
【０００５】
アメリカ合衆国特許第3,861,988号には、細長い側部スロットを有するアプリケータ・チューブが開示されている。このチューブの中には支持用ストリップの付いたロール状の圧力感受性シートが収容されていて、スロットから外に延びており、手で短くちぎることができる。この外に出ている裸のシートをまず最初に平坦な面上の出発点に接着させる。圧縮可能な加圧棒がスロットの縁部の位置でチューブの外面から外側に突起していて、滑らかなカバーによって覆われている。そのカバーの両端は接合され、スロットを通って内側に延び、そのスロットに沿ってチューブの内面に固定されている。アプリケータ・チューブを移動させることにより、支持用ストリップは手で引っ張る必要なしに自動的に離れ、裸になった紙がチューブ内のロールから覆われているスロットの縁部と圧縮可能な加圧棒を越えて引っ張られるにつれて、平坦な面に接着されていく。
【発明の開示】
【発明が解決しようとする課題】
【０００６】
本発明の目的は、簡単な方法かつ簡単な手段で実際のタイプのホイルを上記の欠点なしに取り付けることのできる冒頭部で言及したタイプの方法と装置を示すことである。
【課題を解決するための手段】
【０００７】
本発明の方法は、ホイルの自由端部からわずかに離れた位置でライナーに横方向の切れ目を入れることと、自己接着性ホイルを巻き上げてロールを形成するにあたり、ホイルの表側がそのロールの外側を向き、そのホイル上の画像の上部がそのロールの自由端部に配置されるようにすることと、ホイルの自由端部を付着装置の外側に固定することと、ホイルからなるロールを付着装置の中に配置し、そのロールの自由端部が出口開口部またはスロットを通ってその付着装置から出た状態にした後、蓋を入口開口部の上で閉じて固定することと、ライナーを前記横方向の切れ目の下でホイルから剥がすことと、ホイルの上部を、好ましくは付着装置の平坦な上側を位置決め手段として用いて望む付着位置に配置した後、そのホイルを付着面に加圧接触により付着させると同時に付着装置を下方に移動させ、それに合わせてライナーをホイルから剥がすことで、そのホイルを引き伸ばされた状態で付着面に取り付けることを特徴とする。
【０００８】
そのため自己接着性ホイルをまったく新しい方法で簡単に取り付けることが可能である。それと同時に、ホイルを完全に滑らかに取り付けること、すなわちホイルの下に空気の泡が形成されることなくホイルを取り付けることが保証される。
【０００９】
本発明の方法を変更し、ホイルの自由端部を付着装置の外側に固定する前記操作を、その自由端部を細長い縁部の下に挿入した後、ホイルのその自由端部を、バネで外向きの力を受けている固定プレート部材の細長い縁部によって締め付けることによって実施してもよい。
【００１０】
本発明の方法を強化することに関し、固定プレート部材を、両端部の位置で、装置ハウジングの端部カバーと一体化していてその固定プレート部材の両端部の縁部に引っ掛かる弾性ロック用フィンガーによってロックすることにより、ホイルの自由端を前記細長い縁部によって堅固な細長い縁部の下に固定することがさらに有利であろう。
【００１１】
取り付け中に付着装置を効果的に閉じるには、蓋の固定を、装置ハウジングの端部カバーと一体化していて蓋の両端部の縁部に引っ掛かる弾性ロック用フィンガーによって実施することがさらに適切であろう。
【００１２】
取り付け中の加圧操作を強化する目的で、固定プレート部材とフェルト・コーティングの間に配置したスポンジ・ラバーによって加圧接触を弾性的にし、付着面に対する加圧接触を、フェルト・コーティングを備えていて固定プレート部材の形態になった加圧面によって行なうことが有利であろう。
【００１３】
本発明は、接着防止処理がなされたライナーを有する自己接着性ホイルを取り付けるための、または付着させるための細長い装置ハウジング付き装置であって、この付着装置が、ホイルの表側がロールの外側を向き、そのホイル上の画像の上部がロールの自由端部に配置されるようにして巻き上げられた自己接着性ホイルを挿入するための細長い入口開口部を有する設計にされていて、この付着装置は、ホイルの自由端部を外に出すことを目的とした細長い出口開口部を有する設計にされていて、それはその自由端部をこの付着装置の外面区画に固定手段で固定するためであり、この付着装置は、細長い縁部をさらに備えていて、その周囲をホイルが通過してそのホイルからライナーを連続的に剥がすことができ、この付着装置は、前面区画に、この付着装置が下向きに移動している間に付着位置に対してホイルを押しつけると同時に滑らかにする構成の加圧手段を備えることを特徴とする装置にも関する。
【００１４】
本発明の装置は、固定手段が、細長い固定用縁部と、バネで外向きの力を受けている固定プレート部材の細長い縁部とによって構成されていて、細長い固定用縁部の下にはホイルの自由端部を挿入でき、細長い縁部は、ホイルの自由端部と相互作用する設計にされていることが好ましい。
【００１５】
ホイルの自由端部が予期せず自由な状態にならないようにするため、本発明の装置は、特に、固定プレート部材が、両端の位置において、装置ハウジングの端部カバーと一体化していて固定プレート部材の両端部の縁部に引っ掛かる弾性ロック用フィンガーによってロックされる設計にするとよい。
【００１６】
本発明の装置が確実にうまく機能するようにするためには、装置ハウジングの端部カバーが、バネで外向きの力を受けている一体化されたロック用フィンガーをさらに備えていて、そのロック用フィンガーが、蓋の両端部の縁部に引っ掛かるようにすることが有利であろう。
【００１７】
取り付け部に対してホイルを押しつける効果を強化するには、付着面に対して加圧接触がなされるようにするため、付着装置が固定プレート部材の形態のフェルト製カバー付き加圧面を備えていて、その加圧面が、固定プレート部材とフェルト製カバーの間に配置された例えばスポンジ・ラバーによって弾性状態にされているように設計することがさらに有利であろう。
【発明を実施するための最良の形態】
【００１８】
添付の図面を参照して本発明を以下により詳細に説明する。
【００１９】
図１〜図９と図２２〜図２４は、本発明によるホイル付着装置2の好ましい一実施態様を示している。この装置では、細長い装置ハウジング4が、細長いアルミニウム製型部材6（図２参照）と、右端部カバー8および左端部カバー10（図３〜図６参照）と、細長い蓋12（図７参照）と、加圧面兼固定プレート部材14（図８参照）とによって構成されており、加圧面兼固定プレート部材14には加圧部材16（図９参照）が付随する。
【００２０】
図１に示したホイル付着装置2は、ライナー21（ベーキング紙）付きの巻かれたホイル19を挿入できるように作られているため、原則としてすぐに使用できる状態である。ホイルの自由上端部37は、堅固な保持縁部25と固定プレート部材14の間に位置する細長いスロット23の中に固定されている。固定プレート部材14はバネによって外向きの力を受けていて、スペースのあるより内側の位置で、それぞれの端部カバー8と10のロック用フィンガー22によって固定することができる。
【００２１】
図１の左側には、使用中にホイル付着装置2の水平位置を正確にする手段として用いる平坦な上側27が見える。しかし水平位置は、図２２〜図２４に示した水準器システム29によって示してもよい。水準器システム29は、蓋12の上でレール状型部材31の外側を長さ方向に移動できるようにされている。
【００２２】
蓋12が図１の右側に示してあり、レール状型部材31の外向き中央部により、それぞれの端部カバー8と10の弾性ロック用フィンガー20と相互作用できるようにされている。
【００２３】
図１の上部には、ホイル19が蓋12に沿った細長い出口開口部33から出てどのように弾性加圧部材16を横断して延びているかを示してある。加圧部材16は、加圧面兼固定プレート部材14の外側に乗った状態で固定用スロット23に取り付けられる。さらに、加圧部材16は、フェルト35で覆われている。
【００２４】
図１０〜図２１には、ホイル付着装置2を準備し、そのホイル付着装置2を利用して付着面に自己接着性ホイル19を付着させる方法を段階を追って示してある。
【００２５】
図１０には、それぞれの端部カバー8と10のロック用フィンガー20を外側に押しながら蓋12を細長い挿入用開口部18の上で開く方法を示している。
【００２６】
図１１は、加圧部材16が取り付けられた加圧面兼固定プレート部材14を内側に向けて押して付随するロック用フィンガー22に引っ掛けて固定し、細長いスロット23が、装置ハウジング4の固定用縁部25とバネで外向きの力を受けている固定部材14との間で開いた状態にする方法を示している。
【００２７】
図１２は、自己接着性ホイル19の上端部37からわずかに離れた位置で特別な切断装置28を用いてライナー21に横方向の切れ目を入れる方法を示している。
【００２８】
図１３は、ホイル19を裏側から巻いてロールにし、ロールの印刷側が外側を向くようにする方法を示している。
【００２９】
図１４は、バネで外向きの力を受けている固定部材を、それぞれの端部カバー8と10のロック用フィンガー22の間に引っ掛かった状態から外すことで、ホイル19の自由上端部37を、装置ハウジング4の固定用縁部25とバネで外向きの力を受けている固定部材との間に開いているスロット23の中に位置させて固定する方法（図１６参照）を示している。その結果、ホイル19の自由上端部37は装置ハウジング4の外側に固定される。
【００３０】
図１５は、巻かれたホイルを次に入口開口部18を通過させて装置2の中に挿入した後、蓋12を閉じてその蓋12を端部カバー8と10のロック用フィンガー22で固定する方法を示している。
【００３１】
固定プレート部材14（図１６参照）は、上に説明したように、ライナー21（図１７参照）がホイル19の最上部から剥がれる前に作動状態になり、そこで装置2がホイル19を付着させる準備が整うことに注意されたい。
【００３２】
図１８は、蓋12と取り付け可能な水準器システム29が下を向いた状態で装置2を両手で保持している様子を示している。そのため正確な水平位置をチェックすることができる。可能ならば、加圧部材16を付着面に押しつける前に、装置2の平坦な上側27がしっかりとした水平線に揃うようにし、その後、図１９に示してあるように、ホイル19全体が取り付けられるまで装置2を連続的に圧力を加えながらゆっくりと下方に動かすとよい。
【００３３】
図２０は、ストリップ状の狭いライナーをホイル19の上端部37から剥がして自由な状態にした後、ホイル19を装置2の加圧部材16によって最終的に滑らかにする方法（図２１参照）を示している。
【００３４】
図２２〜図２４は、フェルトで覆われたゴム製型ストリップからなる加圧部材16を例えばベルクロ（登録商標）によって加圧面兼固定プレート部材14の外側に取り付ける前の本発明によるホイル付着装置2を示している。
【００３５】
図２３には、開いた入口開口部18を有するホイル付着装置2が見られる。この入口開口部18から、ボール紙製チューブの形態の芯39をこの開口部18から入れた様子をわずかに見ることができる。この芯39は、巻かれたホイル19を取り付けるための取外し可能な端部ストッパ41を備えている。図２４の断面図には、望むのであればホイル付着装置2にブラケット形のホルダ43を設けてよいことも示してある。ホルダ43は、下側が細長い内側の溝45の中に固定され、上側がボール紙製チューブの形態の芯39の端部ストッパ41を支持する。一般に、この細長い内側の溝は、ホイル付着装置のそれぞれの端部カバー8、10を固定するためのネジ47を取り付けるのに用いられる。
【００３６】
しかし本発明の主な特徴、すなわち自己接着性テープを容易に取り付ける方法は、もちろん図示して説明したのとは異なる装置によっても実現できることを指摘しておく必要がある。また、使い捨て用のより小さな装置の形態にした比較的小さな付着装置を作ることも、本発明のアイディアの範囲内であろう。そのような付着装置は、おそらく市販品として使用することもできよう。すなわちその市販品では、付着装置がすでに望むホイル状のポスターを含む既製のロールを備えている。この市販品は、外側包装材（例えばプラスチック製の袋）に詰めることができる。
【００３７】
最後に、本発明の主な特徴、すなわち上記の方法と装置は、ライナーなしのホイル（すなわち自己接着性の糊がライナーで覆われていない自己接着性ホイル）を取り付けるのに利用すると大きな利点があることに注意されたい。自己接着性ホイルは、ライナーの代わりに表側を適切な接着防止事後印刷で覆ってあるため、表側を外側にして巻き上げることができる。自己接着性ホイルは、本発明で利用するには、ホイルの画像の上部がロールの最も外側に来るように巻き上げられることが好ましい。
【００３８】
このようなホイルは、チューブ（例えばボール紙製チューブ）に巻き付けてロールにすることができる。するとロール状のホイルは、貫通棒によって取り付けている間を通じて補強された状態にできる。その場合にチューブの両端部は、ホイルを付着面上に保持したりホイルを付着面に沿って下方に引っ張ったりするのに利用できる。
【図面の簡単な説明】
【００３９】
【図１】本発明による装置の好ましい一実施態様をその端部から見た斜視図である。
【図２】本発明による装置の細長いハウジングを形成するアルミニウム製型部材の斜視図である。
【図３】本発明による装置（図１参照）のハウジングで使用する右端部カバーを外側から見た斜視図である。
【図４】右端部カバー（図３参照）を内側から見た平面図である。
【図５】本発明による装置（図１参照）のハウジングで使用する左端部カバーを外側から見た斜視図である。
【図６】左端部カバー（図５参照）を内側から見た平面図である。
【図７】本発明による装置（図１参照）のハウジング（図１２参照）のための蓋の斜視図である。
【図８】本発明による装置（図１参照）の加圧面兼固定部材の斜視図である。
【図９】固定部材（図８）の外側に取り付けるための加圧部材の斜視図である。
【図１０】端部カバー（図４〜図６参照）のロック用フィンガーに引っ掛かった状態の蓋（図７参照）を開ける方法を示す斜視図である。
【図１１】固定部材（図８）を下方に押して端部カバー（図３〜図６参照）のロック用フィンガーによりロックする方法を示す斜視図である。
【図１２】ライナーが上を向いたホイルの横方向上端部からわずかに離れた位置でライナーに横方向の切れ目を入れる方法を示す斜視図である。
【図１３】ホイルを裏側から巻いてロールにし、ロールの印刷側が外側を向くようにする方法を示す斜視図である。
【図１４】ホイルの横方向自由上端部を挿入し、固定プレート（図８参照）を用いて固定する方法を示す斜視図である。
【図１５】巻かれたホイルを開いた蓋を通じて挿入する方法を示す斜視図である。蓋はその後閉じられる。
【図１６】両方の端部カバーのロック用フィンガーに引っ掛かけられている固定プレートを外す方法を示す斜視図である。
【図１７】ライナーをホイルの横方向上端部から剥がす方法を示す斜視図である。
【図１８】ホイルを滑らかな面（この場合にはガラス扉の外側）に取り付けているところを示す斜視図である。ここでは、装置の上側がこの装置の下側にある水準器によって水平に配置された後、その上側が面に押しつけられ、そのことによって固定プレートがホイルの上端部を自由な状態にする。
【図１９】その後装置をゆっくりと下方に移動させながらホイルを取り付け、それに合わせてライナーを剥がす方法を示している。
【図２０】狭いライナー部をホイルの上端部から剥がす方法を示している。
【図２１】フェルトで覆われた固定プレートを用いることで取り付けられたホイルの上端部を最終的に滑らかにする方法を示している。
【図２２】本発明による装置の好ましい一実施態様の斜視図であり、上を向いた蓋と前方を向いた固定プレートが示してある。
【図２３】開いた蓋を備える装置（図２２参照）の斜視図である。
【図２４】本発明による装置の好ましい一実施態様の一部を断面図にした平面図である。
【図１】
2009522623.tif 000003
【図２】
2009522623.tif 000004
【図３】
2009522623.tif 000005
【図４】
2009522623.tif 000006
【図５】
2009522623.tif 000007
【図６】
2009522623.tif 000008
【図７】
2009522623.tif 000009
【図８】
2009522623.tif 000010
【図９】
2009522623.tif 000011
【図１０】
2009522623.tif 000012
【図１１】
2009522623.tif 000013
【図１２】
2009522623.tif 000014
【図１３】
2009522623.tif 000015
【図１４】
2009522623.tif 000016
【図１５】
2009522623.tif 000017
【図１６】
2009522623.tif 000018
【図１７】
2009522623.tif 000019
【図１８】
2009522623.tif 000020
【図１９】
2009522623.tif 000021
【図２０】
2009522623.tif 000022
【図２１】
2009522623.tif 000023
【図２２】
2009522623.tif 000024
【図２３】
2009522623.tif 000025
【図２４】
2009522623.tif 000026
【国際調査報告】
2009522623.tif 000027
2009522623.tif 000028
2009522623.tif 000029
2009522623.tif 000030